(57)【要約】【課題】着心地に影響を与えることなく密封機能および吸収本体の吸収性能を高める吸収製品を提供する。【解決手段】液体不透過性下着保護層１と、下着保護層１に取り付けられた液体透過性カバー層２と、下着保護層１とカバー層２との間に配置された吸収材本体３と、吸収材本体３の両側部近傍に長手方向に延びるように取り付けられたカフ７，７′と、カフ７，７′の上部１０に設けられた弾性部材１１とを備え、カフ７，７′の脚部８は、長手方向中間部で凹状を形成し、長手方向前方部および後方部で凸内方に凹状を形成するように取り付けられ、カフ７，７′の前方部１７および後方部１８に排泄物を受容するポケットを形成する。【選択図】図１
2007203097.tif 000002
【特許請求の範囲】
【請求項１】
ユーザの衣服に接触する液体不透過性下着保護層と、下着保護層に取り付けられた液体透過性身体接触カバー層と、下着保護層とカバー層との間に配置された吸収材本体と、吸収材本体の両側部近傍に長手方向に延びるように取り付けられたカフと、カフの上部に設けられた弾性部材とを備えた吸収製品において、
前記カフの脚部は、長手方向中間部で凹状を形成し、長手方向前方部および後方部で凸状を形成するように取り付けられ、カフの前方部および後方部に排泄物を受容するポケットを形成したことを特徴とする吸収製品。
【請求項２】
前記吸収材本体の長手方向縁部は、波形ラインを形成することを特徴とする請求項１に記載の吸収製品。
【請求項３】
前記カフの脚部は、カバー層に結合されていることを特徴とする請求項１に記載の吸収製品。
【請求項４】
前記カフの脚部は、吸収材本体の長手方向縁部の波形ラインに平行な波形ラインを形成してカバー層に結合されていることを特徴とする請求項３に記載の吸収製品。
【請求項５】
前記カフの脚部は、吸収材本体の長手方向側縁部から内方に間隔を置いて延びていることを特徴とする請求項４に記載の吸収製品。
【請求項６】
吸収パッドが吸収材本体の上に配置され、吸収パッドの長手方向縁部がカフの脚部の間に位置されることを特徴とする請求項１ないし５のいずれか１項に記載の吸収製品。
【発明の詳細な説明】
【技術分野】
【０００１】
本発明は、生理用品、失禁用ナプキン、おむつ等の吸収製品に関する。
【背景技術】
【０００２】
一般的なタイプの吸収製品は公知であり、ユーザの衣服に接触する薄いポリエチレンフィルムから製造された液体不透過性の下着保護層と、親水性不織布から製造された液体透過性の身体接触カバー層と、下着保護層とカバー層との間に配置された吸収材本体とを備えている。
【０００３】
吸収材本体は、通常、超吸収粒子が中に拡散されているセルロースフラフから形成される。吸収材本体は、種々の形をとり、例えば、矩形であるが、身体の形状に変化するように砂時計の形であってもよい。砂時計形の吸収材本体は、ゴア領域において最小幅であり、吸収製品の長手方向に平行に直線的に前端部及び後端部に延びている。
【０００４】
また、最近の吸収製品は、両側部を長手方向に延びるいわゆる２つのカフを備えている。これらカフは、脚部がカバー層に取り付けられ、ヘッド部は例えば弾性ゴム糸のような弾性要素を備えている。これらカフは、吸収製品の漏れに対する保護を向上させる。
【０００５】
通常、カフは、吸収製品の長手方向に直線的に配置されている。吸収製品は、長さ全体にわたって吸収製品のゴア領域においてさえも互いに近接するカフを設けることができる。直線ではあるが側部に近接して配置され、少なくとも吸収製品のゴア領域において吸収材本体の外側で下着保護層の突出縁部とこれに結合されたカバー層に沿って延びる他の形状のカフが知られている。
【発明の開示】
【発明が解決しようとする課題】
【０００６】
互いに近接するカフは、吸収材本体の吸収面のかなりの部分がカフの範囲の近くにあり、従って、吸収材本体が身体から排出される液体を直接吸収するために利用できないという欠点がある。この欠点は、吸収材本体の表面のかなりの部分がカフ側に配置されているので、両側に近接してカフを有する生理用ナプキンにもある。
【０００７】
吸収製品の他の欠点は、カフが制御されない方法で外方に曲げることができ、密封性を相当損失させることである。
【０００８】
この欠点を解決する従来技術は、カフが長手方向端部の領域で内側に曲げられ、その位置で、カフがカバー層に接合されること（いわゆるタックダウン）である。
【０００９】
カフを有する吸収製品の欠点は、特に寝たきりで失禁する患者がカフの上にのり、圧力マークを形成し、最悪の場合床擦れができることである。
【００１０】
本発明の目的は、上述した従来技術の問題に鑑み、カフが吸収本体の吸収性能及び着心地に影響を与えることなく密封機能を満たす吸収製品を提供することである。
【課題を解決するための手段】
【００１１】
本発明は、ユーザの衣服に接触する液体不透過性下着保護層と、下着保護層に取り付けられた液体透過性身体接触カバー層と、下着保護層とカバー層との間に配置された吸収材本体と、吸収材本体の両側部近傍に長手方向に延びるように取り付けられたカフと、カフの上部に設けられた弾性部材とを備え、カフの脚部を長手方向中間部で凹状を形成し長手方向前方部および後方部で凸状を形成するように取り付け、カフの前方部および後方部に排泄物を受容するポケットを形成する吸収製品を提供するものである。
【発明の効果】
【００１２】
カフの脚部を吸収材本体の長手方向縁部に特定の輪郭で配置することであり、カフの脚部の輪郭が高い着心地及び良好な吸収性能を招いた。吸収材本体の特に大きな幅は、ゴア領域の前後で有効であり、吸収材本体の最大幅は、吸収材本体の縁部が寝たきりの患者の特に露出した身体部分から離れて位置され、着心地を増大する。この場合、マットレスに乗る身体の圧力はすでにかなり低減している。
【００１３】
さらに、カフは、その脚部が吸収材本体の長手方向縁部に沿っているので、最適な経路を取る。そのため、カフはゴア領域で自動的に直立し、着用者のゴア領域に適合して良好な密封機能を保証する。
【００１４】
吸収材本体及びカフの脚部の両端の経路に関して、カフは自動的に内側に向かって湾曲し、ポケットを形成する。カフにより形成されるポケットは、身体から排泄される液体及び排泄物を受容することに関して最適であることが証明されている。
【００１５】
要約すると、吸収材本体及びカフは、所定の形状をとることで、物理的要求に基づいて吸収製品の完全な適合および緊密性を保証する。
【発明を実施するための最良の形態】
【００１６】
以下、本発明による吸収製品の一実施形態について、添付の図面を参照しながら説明する。  
図１および図２を参照して分かるように、失禁用吸収製品は、ユーザの衣服に接触する薄いポリエチレンフィルムからなる液体を通さない下着保護層１と、着用者の身体に面する親水性不織布からなる液体透過性カバー層２とを備えている。下着保護層１とカバー層２の間には吸収材本体３が設けられている。
【００１７】
吸収材本体３は、下着保護層１に面するベースパッド４と、ベースパッド４の上に取り付けられ、カバー層２に面するカバーパッド５とを有する。ベースパッド４は、セルロースフラフから成る。カバーパッド５は、超吸収粒子を混合したエアレイド不織材料から形成される。他の材料の組み合わせは、従来技術から公知であり、それもまた使用できる。
【００１８】
図２に特に示すように、下着保護層１及びカバー層２の縁部は、すべての側で吸収材本体３から外方に突出し、その突出領域は接着剤層６によって結合されている。接着剤層６は、下着保護層１とベースパッド４との間及びカバーパッド５とカバー層２との間を延びている。失禁用吸収製品の構造および使用材料は知られているので説明を省略する。
【００１９】
カバー層２の上には、各長手方向縁部にカフ７，７′が設けられている。カフ７，７′は疎水性不織布の狭いストリップから形成されている。各カフ７，７′の脚部８は、ストリップの端部として形成される。ストリップの端部は、接着剤層９によってカバー層２に取り付けられている。カフの脚部８は、図２に示す矩形直線部分を支持している。
【００２０】
カフ７，７′の上部１０には、ストリップの上端部を折り曲げることで弾性スレッド１１を包囲する部分が形成されている。弾性スレッド１１は、カフ７，７′の全長にわたって長手方向に配置されている。カフ７，７′の上部１０は、他の接着剤１２によって固定され、弾性スレッド１１を保持する。弾性スレッド１１は、カフ７，７′を補強するように作用する。
【００２１】
図１は、吸収材本体３がベースパッド領域４で制限され、吸収材本体３がゴア領域１３で最小幅Ｂであることを示している。吸収材本体３は、ゴア領域１３と前端１４の間の前方部で最大幅Ｍであり、ゴア領域１３と後端１５の間の後方部で最大幅Ｍである。吸収材本体３は最大幅Ｍから最小幅幅Ｂに徐々に減少している。吸収材本体３、すなわちベースパッド４の長手方向縁部１６及び１６′は、波形ラインを呈し、前端１４から始まり凸状の領域１７と凹形状のゴア領域１３と凸状の領域１８を形成する。
【００２２】
図１及び図２から明らかなように、各カフ７，７′の脚部８は、失禁用吸収製品の長さ全体にわたって吸収材本体３の長手方向縁部１６，１６′に平行に延びる形状である。そのため、カフ７，７′の脚部８は、吸収材本体３の長手方向縁部１６，１６′の曲がった形に追随している。カフ７，７′の脚部８は、ベースパッド４の長手方向縁部１６，１６′の近くに配置されており、これは長手方向縁部１６，１６′の内側を意味する。カフ７，７′の脚部８とベースパッド４の長手方向縁部１６，１６′の間の最適な最大距離は、１０ｍｍである。
【００２３】
また、図１は、カフ７，７′に設けた弾性スレッド１１がカフ７，７′の脚部８の形状によって特別の効果を有することを示している。弾性スレッド１１によって、引っ張り力がカフ７，７′に作用し、カフ７，７′の上部１０を長手方向に短くする。これによって、カフ７，７′の上部領域にギャザーが形成される。このようにカフ７，７′が短くなることによって、カフ７，７′の上部１０は、カフ７，７′の脚部８内の凸形領域１７，１８でゴア領域１３の外側に配置される。
【００２４】
吸収本体３の幅Ｂの最大領域Ｍ、すなわちゴア領域１３の前方及び後方において、カフ７，７′は内側に凹形に曲がり、ポケット１９を形成する。これを達成するために、脚部８の領域においてのみカフ７，７′の長手方向端部２０をカバー層２に接着すれば十分である。これによって前述したタックダウンを行なう必要がなく、本発明の目的の製品を容易に製造することができる。
【００２５】
さらに、引っ張り力は、失禁用吸収製品の長手方向上端２２を内側に向かって引き、その結果、カフ７，７′の端縁は比較的平坦で脚部８の方向に弧状を形成する。ゴア領域１３において、弾性スレッド１１の引っ張り力は、カフ７，７′が自動的に矩形の直立した位置をとりすぐれた密封性能を生じるすように作用する。
【００２６】
図１に示すように、吸収材本体３のカバーパッド５は、矩形の形状であり、その直線的な長手方向縁部２１，２１′は、ベースパッド４及びカフ７，７′の上部１０のコースラインの内側になる。
【図面の簡単な説明】
【００２７】
【図１】本発明による失禁用吸収製品の斜視図である。
【図２】図１の線IIーIIに沿った断面図である。
【符号の説明】
【００２８】
１  下着保護層
２  カバー層
３  吸収材本体
７，７′  カフ
８  脚部
１７  前方部
１８  後方部
【図１】
2007203097.tif 000003
【図２】
2007203097.tif 000004